(57)【特許請求の範囲】
【請求項１】
基地局装置が共有チャネルでパケットデータを送信するスケジュールを作成するスケジュール作成装置であって、ユーザが前記基地局装置との個別物理チャネルによる通信に用いるモードの種類を取得する取得手段と、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振るスケジュール作成手段と、を具備することを特徴とするスケジュール作成装置。
【請求項２】
取得手段は、個別物理チャネルの信号を送信しない時間である送信ギャップを取得し、スケジュール作成手段は、コンプレストモードで通信を行っているユーザに送信ギャップの時間に前記ユーザ宛のパケットデータを送信しないスケジュールを作成することを特徴とする請求項１に記載のスケジュール作成装置。
【請求項３】
取得手段は、個別物理チャネルの信号を送信しない時間である送信ギャップを取得し、スケジュール作成手段は、送信ギャップの時間に他のユーザ宛のパケットデータを送信するスケジュールを作成することを特徴とする請求項１に記載のスケジュール作成装置。
【請求項４】
スケジュール作成手段は、送信時間に対して送信ギャップの時間の割合が多いユーザから優先してパケットを送信するスケジュールを作成することを特徴とする請求項２または請求項３のいずれかに記載のスケジュール作成装置。
【請求項５】
スケジュール作成手段は、所定の時間内でのコンプレストモードにおけるパケット送信の割り当て不可能な機会の比率に基づいてユーザ宛にパケットデータを送信するスケジュールを作成することを特徴とする請求項１から請求項４のいずれかに記載のスケジュール作成装置。
【請求項６】
スケジュール作成手段は、所定の時間内での通常モードにおけるパケット送信の割り当て可能な機会の比率に基づいてユーザ宛にパケットデータを送信するスケジュールを作成することを特徴とする請求項１から請求項５のいずれかに記載のスケジュール作成装置。
【請求項７】
請求項１から請求項６のいずれかに記載のスケジュール作成装置と、前記スケジュールに従ってパケットデータを送信する送信手段と、を具備することを特徴とする基地局装置。
【請求項８】
請求項１から請求項６のいずれかに記載のスケジュール作成装置と、前記スケジュール作成装置において作成されたスケジュールを出力する出力手段と、を具備する制御局装置。
【請求項９】
コンプレスドモードにおいて基地局装置が信号を送信しない時間である送信ギャップを取得する取得手段と、前記送信ギャップの時間に自局が属さない基地局装置から送信された信号を受信し、前記送信ギャップ以外の時間に複数の通信端末装置が共通して使用する共有チャネルで自局宛のパケットデータを受信する受信手段と、を具備することを特徴とする通信端末装置であって、前記基地局装置は、ユーザが前記基地局装置との個別物理チャネルによる通信に用いるモードの種類を取得する取得手段と、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振るスケジュール作成手段と、前記スケジュールを送信する送信手段と、を具備する。
【請求項１０】
基地局装置が共有チャネルでパケットデータを送信するスケジュールを作成するスケジュール方法であって、ユーザが前記基地局装置との個別物理チャネルによる通信に用いるモードの種類を取得し、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振り、このスケジュールに従ってパケットデータを送信することを特徴とする通信方法。
【発明の詳細な説明】
【０００１】
【発明の属する技術分野】
本発明は、スケジュール作成装置、基地局装置及び通信方法に関し、特にＤＳＣＨ（Downlink  Shared  Channel）またはＨＳＤＰＡ（High  Speed  Downlink  Packet  Access）に用いて好適なスケジュール作成装置、基地局装置及び無線通信方法に関する。
【０００２】
【従来の技術】
ディジタル無線通信システムのアクセス方式の一つであるＣＤＭＡ（Code  Division  Multiple  Access）において、Ｗ−ＣＤＭＡ（Wideband−ＣＤＭＡ）システムがある。このＷ−ＣＤＭＡの規格においては、複数の通信端末装置が共通に用いる下り回線のチャネルとしてＤＳＣＨ（Downlink  Shared  Channel）が規定されている。
【０００３】
このＤＳＣＨは、複数の端末に所定の伝送単位（例えばフレーム単位）で割り当ててデータのみを伝送するチャネルであり、データ通信を行うチャネルである。したがって、ＤＳＣＨは、下り高速パケットデータ伝送への利用が期待されている。
【０００４】
ＤＳＣＨを使用する通信端末装置は、別途個別の下り回線（ＤＰＣＨ：Dedicated  Physical  CHannel）を確立し、そのＤＰＣＨの信号に含まれる既知信号（例えばパイロット信号）を用いてパスサーチやチャネル推定を行う。あるいは、各通信端末装置に共通であるＰ−ＣＰＩＣＨ（Primary-Common  PIlot  CHannel）の既知信号を用いてパスサーチやチャネル推定を行う。これにより、ＤＳＣＨ信号を確実に復調することができる。
【０００５】
また、複数の通信端末装置が共通に用いる下り回線のチャネルで高速にパケットデータを伝送する通信方法の一つとしてＨＳＤＰＡ（High  Speed  Downlink  Packet  Access）がある。ＨＳＤＰＡでは、回線状態に応じてチャネルコーデック、拡散率、多重数、または（多値）変調を変更して伝送レートを変更することにより平均スループットを向上させることの出来る通信方法である。
【０００６】
一方、セルラー通信では、ユーザが移動することにより、通信相手の基地局装置を遷移することがある。
【０００７】
例えば、Ｗ−ＣＤＭＡ同士、またはＷ−ＣＤＭＡとＧＳＭ（Global  System  for  Mobile  Communications）方式との間において、異なる周波数のキャリアでハンドオーバーを行う場合、ユーザは、通信中に、他の周波数の信号を受信して通信する基地局を遷移するために必要な信号レベルの測定、必要な制御情報の受信を行う必要がある。
【０００８】
そこで、Ｗ−ＣＤＭＡでは、基地局装置が、コンプレストモード（Compressed  Mode）で信号を送信して自局の属するセル及び隣接セルの基地局装置からの他の周波数の信号を受信する。
【０００９】
このコンプレストモードでは、情報データのフレームに対する拡散率を一時的に下げることにより、フレーム間に一定の実送信区間の時間をつくってフレームを送信し、通信端末装置がこの空いた時間を用いて、自局の属するセル及び隣接セルの基地局装置からの他の周波数の信号を受信する。
【００１０】
つまり、基地局装置は、通信に影響を及ぼさない範囲でデータを送信しない時間をつくり、ユーザは、この時間の間に自局の属するセル及び隣接セルの基地局装置からの他の周波数の信号を受信する。
【００１１】
【発明が解決しようとする課題】
しかしながら、従来の基地局装置は、コンプレストモードのギャップタイミングを知らないため、異周波数のキャリアセンスをしている通信端末装置にパケットデータを送信してしまうことがあり、通信端末装置は受信できないことがある。
【００１２】
この結果、個別チャネルにおいてコンプレストモードで通信を行う通信端末装置は、通常モードで通信を行う通信端末装置に比べてパケットを受信する機会が少なくなり、平均スループットが低下する。
【００１３】
本発明はかかる点に鑑みてなされたものであり、コンプレスドモードで通信中のユーザと通常ユーザとの平均スループットの差を解消するスケジュール作成装置、基地局装置及び通信方法を提供することを目的とする。
【００１４】
【課題を解決するための手段】
本発明のスケジュール作成装置は、基地局装置が共有チャネルでパケットデータを送信するスケジュールを作成するスケジュール作成装置であって、ユーザが前記基地局装置との個別物理チャネルによる通信に用いるモードの種類を取得する取得手段と、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振るスケジュール作成手段と、を具備する構成を採る。
【００１５】
この構成によれば、個別チャネルにおいて通常モードで通信するユーザ宛よりコンプレストモードで通信するユーザ宛に、コンプレストフレーム以外の時刻に共有チャネルでパケットを優先的に送信することにより、コンプレストモードにおける平均スループットの低下を防止することができ、通常モード時とほぼ同一の平均スループットを確保することができる。
【００１６】
本発明のスケジュール作成装置は、取得手段は、個別物理チャネルの信号を送信しない時間である送信ギャップを取得し、スケジュール作成手段は、コンプレストモードで通信を行っているユーザに送信ギャップの時間に前記ユーザ宛のパケットデータを送信しないスケジュールを作成する構成を採る。
【００１７】
この構成によれば、共有チャネルを用いたパケットデータ伝送とコンプレスドモードとを共に適用することができる。
【００１８】
本発明のスケジュール作成装置は、取得手段は、個別物理チャネルの信号を送信しない時間である送信ギャップを取得し、スケジュール作成手段は、送信ギャップの時間に他のユーザ宛のパケットデータを送信するスケジュールを作成する構成を採る。
【００１９】
この構成によれば、通常モードで通信を行うユーザのスループットを向上することができる。
【００２０】
本発明のスケジュール作成装置は、スケジュール作成手段は、送信時間に対して送信ギャップの時間の割合が多いユーザを優先してパケットを送信するスケジュールを作成する構成を採る。
【００２１】
この構成によれば、個別チャネルにおいて通常モードで通信するユーザ宛よりコンプレストモードで通信するユーザ宛に、コンプレストフレーム以外の時刻に共有チャネルでパケットを優先的に送信することにより、コンプレストモードにおける平均スループットの低下を防止することができ、通常モード時とほぼ同一の平均スループットを確保することができる。また、この構成によれば、個別チャネルを通常フレームで通信するタイミングにおける通常モードユーザ宛のパケット送信の優先度を下げることにより、コンプレストモードにおける平均スループットの低下を防止することができ、通常モード時とほぼ同一の平均スループットを確保することができる。
【００２２】
本発明のスケジュール作成装置は、スケジュール作成手段は、所定の時間内でのコンプレストモードにおけるパケット送信の割り当て不可能な機会の比率に基づいてユーザ宛にパケットデータを送信するスケジュールを作成する構成を採る。
【００２３】
この構成によれば、個別チャネルにおいてコンプレストモードで通信するユーザにコンプレストフレームで通信を行っている時刻に共有チャネルでパケットを送信する機会が減少することを補償するパケット送信のスケジュールを作成することにより、コンプレストモードにおける平均スループットの低下を防止することができ、通常モード時とほぼ同一の平均スループットを確保することができる。
【００２４】
本発明のスケジュール作成装置は、スケジュール作成手段は、所定の時間内での通常モードにおけるパケット送信の割り当て可能な機会の比率に基づいてユーザ宛にパケットデータを送信するスケジュールを作成する構成を採る。
【００２５】
この構成によれば、コンプレストフレームにおいて通常モードで通信するユーザが優先的に選択されたかを把握して補償することにより、コンプレストフレームとノーマルフレームの比率からスケジュールを作成する方法に比べて優先度を過剰に下げすぎず、コンプレストモードのユーザと通常モードのユーザに同一の平均スループットを確保することができる。
【００２６】
本発明の基地局装置は、上記のいずれかに記載のスケジュール作成装置と、前記スケジュールに従ってパケットデータを送信する送信手段と、を具備する構成を採る。
【００２７】
本発明の制御局装置は、上記のいずれかに記載のスケジュール作成装置と、前記スケジュール作成装置において作成されたスケジュールを出力する出力手段と、を具備する構成を採る。
【００２８】
これらの構成によれば、個別チャネルにおいて通常モードで通信するユーザ宛よりコンプレストモードで通信するユーザ宛に、コンプレストフレーム以外の時刻に共有チャネルでパケットを優先的に送信することにより、コンプレストモードにおける平均スループットの低下を防止することができ、通常モード時とほぼ同一の平均スループットを確保することができる。
【００２９】
本発明の通信端末装置は、コンプレスドモードにおいて基地局装置が信号を送信しない時間である送信ギャップを取得する取得手段と、前記送信ギャップの時間に自局が属さない基地局装置から送信された信号を受信し、前記送信ギャップ以外の時間に複数の通信端末装置が共通して使用する共有チャネルで自局宛のパケットデータを受信する受信手段と、を具備し、前記基地局装置は、ユーザが前記基地局装置との個別物理チャネルによる通信に用いるモードの種類を取得する取得手段と、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振るスケジュール作成手段と、前記スケジュールを送信する送信手段と、を具備する構成を採る。
【００３０】
この構成によれば、一つの受信回路でパケットデータの受信と隣接セルの情報取得とを共に実現でき、移動通信における高速下りデータ通信を行うことができる。
【００３１】
本発明の通信方法は、基地局装置が共有チャネルでパケットデータを送信するスケジュールを作成するスケジュール方法であって、ユーザが前記基地局装置との個別物理チャネルによる通信に用いるモードの種類を取得し、個別物理チャネルの通信を通常の送信モードで行うユーザより信号を送信しない時間を設けるコンプレストモードで個別物理チャネルの通信を行うユーザに共有チャネルでパケットデータを送信するスケジュールを優先的に割り振り、このスケジュールに従ってパケットデータを送信するようにした。
【００３２】
この方法によれば、個別チャネルにおいて通常モードで通信するユーザ宛よりコンプレストモードで通信するユーザ宛に、コンプレストフレーム以外の時刻に共有チャネルでパケットを優先的に送信することにより、コンプレストモードにおける平均スループットの低下を防止することができ、通常モード時とほぼ同一の平均スループットを確保することができる。
【００３３】
【発明の実施の形態】
本発明者は、１または複数の通信相手に共有チャネル（Shared  Channel）を用いてパケットを送信する場合のスケジューリングにおいて、個別チャネルの通信モードがコンプレストモード（CM:Compressed  Mode）のユーザ（ＵＥ）と通常モード（NM:Normal  Mode）のユーザとを区別した優先度制御は行われていなかった点に着目し、本発明をするに至った。
【００３４】
つまり、スケジュール作成装置は、コンプレストモードのギャップのタイミングを知らないため、ユーザがギャップの間に異周波数のキャリアセンスをしている時に、基地局は、パケットデータを送信してしまうことがある。この結果、ユーザは、パケットデータを受信できないことが発生する。
【００３５】
この問題を防止するため、共有チャネルを用いてパケットを送信する場合のスケジューリングにおいて、各ユーザのassisted  DPCHのコンプレストフレーム（CF:Compressed  Frame）のタイミングまたはギャップのタイミングにおいてはパケットを送らず、通常フレーム（NF:Normal  Frame）のタイミング、またはノーマルフレームと、及びコンプレストフレームのギャップ時間以外のタイミングと、にのみパケットデータを送信する制御が考えられている。
【００３６】
コンプレストフレームのギャップ中においてパケットが送出されないように制御した場合、コンプレストモードでの通信ではギャップ時間分だけパケットを送出する機会が減り、スケジュール作成においてパケット送信の割り当てられる確率が低下し、平均スループットが減少してしまう。
【００３７】
さらに、本発明者は、コンプレストモードで通信を行うユーザ宛にパケットを送信することのできないタイミングで積極的に他のユーザ宛にパケットを送信することを見いだし、本発明をするに至った。
【００３８】
すなわち、本発明の骨子は、共有チャネルでパケットを送信し、個別チャネルの通信にコンプレストモードを適用する場合に、コンプレストモードで通信中のユーザは、コンプレストモードでない通常ユーザに比べて、パケットが送信できる時間において優先的にパケットを送信するスケジュールを作成して、このスケジュールに従ってパケットを送信することにより、コンプレストモードのユーザが通常モードのユーザとほぼ同じ平均スループットで通信することを可能とすることである。
【００３９】
以下、本発明の実施の形態について図面を参照して詳細に説明する。
（実施の形態１）
基地局装置が、コンプレストフレームのギャップ中においてパケットが送出されないように制御した場合、コンプレストモードでの通信ではギャップ時間分だけパケットを送出する機会が減り、スケジュール作成においてパケット送信の割り当てられる確率が低下し、平均スループットが減少してしまう。例えば、所定の時間におけるギャップの時間の比率を示すギャップ時間率ｒが５％の場合、平均スループットの低下率も最大でｒ（５％）となる。
【００４０】
このように、本来同一条件であれば同じ平均スループットになるようなスケジューリング方式（例えば、ラウンドロビン(RR)方式のように、順番に割り当てていく方式、または伝搬路状態（例：CIR測定結果などで判定）が最良であるユーザを選択して送出するMax  CIR方式）であっても、コンプレストモードのユーザと通常モードのユーザとの間で、平均スループットに差が生じてしまう。
【００４１】
本実施の形態では、個別チャネルをコンプレストモードで通信する通信端末装置に対して、ギャップのないフレームにおいて通常モードで通信する通信端末装置より優先的にパケットを送信するスケジュールを割り当てる。
【００４２】
図１は、本発明の実施の形態１に係る基地局装置の構成を示すブロック図である。図１の基地局装置１００は、複数のユーザ（ＵＥ）と通信を行い、共有チャネル（Shared  Channel）を用いてパケットデータを送信する基地局装置である。ここで共有チャネルとは、ＤＳＣＨまたはＨＳＤＰＡ等の下りパケットデータ通信に用いられる共有チャネルである。
【００４３】
図１において、基地局装置１００は、コンプレストモード制御部１０１と、スケジュール作成部１０２と、バッファ１０３と、スイッチ回路１０４と、多重化部１０５と、符号化部１０６と、変調部１０７と、無線送信部１０８とから主に構成される。
【００４４】
コンプレストモード制御部１０１は、制御局装置等の上位局から送信されたコンプレストモードに関する制御情報から各ユーザにコンプレストモードで信号を送信する時間（タイミング）をスケジュール作成部１０２、符号化部１０６及び変調部１０７に出力する。例えば、コンプレストモード制御部１０１は、符号化率の変更の指示を符号化部１０６に出力し、拡散率の変更の指示を変調部１０７に出力する。
【００４５】
コンプレストモードでは、信号を送信しない時間を設けたコンプレストフレームを送信し、通信端末装置がこの空いた時間を用いて、自局の属するセル及び隣接セルの基地局装置からの他の周波数の信号を受信する。例えば、基地局装置１００は、個別物理チャネルの情報データのフレームに対する拡散率を一時的に下げることにより、フレーム間に拡散率の下がった一定の間隔の時間をつくってコンプレストフレームを作成する。
【００４６】
スケジュール作成部１０２は、回線状況等の優先度情報とコンプレストモードで信号を送信する時間から各ユーザにパケットデータを送信する時間（順番）を決定し、このパケットデータを送信する時間を示すスケジュール情報をスイッチ回路１０４と多重化部１０５とに出力する。具体的には、スケジュール作成部１０２は、個別チャネルでの通信と通常モードで行っている通常モードユーザより個別チャネルでの通信をコンプレストモードで行っているコンプレストモードユーザに優先的に、パケットデータを送信するスケジュールを作成する。
【００４７】
バッファ１０３は、各ユーザに共有チャネルで送信するパケットデータを一時的に記憶し、スイッチ回路１０４に出力する。スイッチ回路１０４は、スケジュール作成部１０２において作成されたスケジュールに従い、各ユーザに送信するパケットデータを順に符号化部１０６に出力する。
【００４８】
多重化部１０５は、スケジュール作成部１０２から出力されたパケットデータを送信するスケジュールに関する情報（例えば各ユーザのパケットデータの送信の有無を示すフラグ等）と、共有チャネルで送信するパケットデータの伝送に必要な制御データとを多重化して符号化部１０６に出力する。
【００４９】
例えば、複数ユーザのパケットデータを時間多重して伝送する場合、パケットデータの伝送に使用するＤＳＣＨに加えて、その伝送に必要な制御データを伝送するための上下回線のチャネルとして、assisted  ＤＰＣＨを必要とする。
【００５０】
符号化部１０６は、スイッチ回路１０４から出力されたパケットデータと、多重化部から出力されたデータをそれぞれ符号化して変調部１０７に出力する。同様に、符号化部１０６は、個別チャネルを用いて送信する音声データ、非制限データ、及びパケットデータ等の個別データと、共通制御データとをそれぞれ符号化して変調部に出力する。コンプレストモード制御部１０１からコンプレストモードでデータを送信する指示があった場合、符号化部１０６は、個別チャネルで送信するデータの符号化率を下げて符号化し変調部１０７に出力し、送信する信号の一定の送信時間単位（フレーム）にデータを送信する時間と送信しない時間を作り出してコンプレストフレームを作成する。
【００５１】
変調部１０７は、符号化部１０６から出力されたデータをそれぞれ変調、拡散し、データを多重して無線送信部１０８に出力する。コンプレストモード制御部１０１からコンプレストモードでデータを送信する指示があった場合、変調部１０７は、送信する信号の一定の送信単位時間（フレーム）にデータを送信する時間と送信しない時間を作り出す。無線送信部１０８は、変調部１０７から出力されたデータを無線周波数に周波数変換して無線信号として送信する。
【００５２】
次に、本実施の形態の基地局装置が備えるスケジュール作成部の詳細について説明する。図２は、本実施の形態のスケジュール作成部の構成の一例を示すブロック図である。図２において、スケジュール作成部１０２は、送信禁止比率算出部２０１と、優先度算出部２０２と、選択部２０３とから主に構成される。
【００５３】
送信禁止比率算出部２０１は、個別チャネルでの通信をコンプレストモードで行うユーザについて、コンプレストモード制御部１０１から出力された各ユーザにコンプレストモードで信号を送信する時間の情報から所定の送信時間単位のうちパケットが送信不可能なギャップである時間の比率を送信禁止時間比率rとして算出し、優先度算出部２０２に出力する。
【００５４】
ここで、送信禁止時間比率は、所定の送信時間単位であるフレーム単位で算出してもよく、所定のフレーム数の中で、コンプレストモードで送信するコンプレストフレームである比率（ＣＦ比率）を送信禁止時間比率としてもよい。例えば、所定のフレーム区間でのＣＦ比率rは、コンプレストフレーム数をコンプレストモードにおける通常の送信フレームであるノーマルフレーム（ノーマルフレーム）数とコンプレストフレーム数との和で除算した結果から得られる。
【００５５】
優先度算出部２０２は、まず、パケットデータ量（伝送速度）、サービス種別（許容誤り率または遅延時間）、通信中の伝搬環境（下り回線のＣＩＲ等）から通常モードでの各ユーザに送信するパケットの優先度Ｐ（ｉ）を決定する。ここで、ｉはユーザを識別する数である。例えばＰ（１）は、ユーザ１の通常モードでの優先度である。
【００５６】
例えば、送信するパケットデータ量が少ないユーザ宛より、送信するパケットデータ量が多いユーザ宛に優先的に送信する優先度とする。同様に、低いサービスより高いサービスのユーザ宛に送信するパケットの優先度を上げる。また、伝搬路環境の悪いユーザより伝搬路環境のよいユーザ宛に送信するパケットの優先度を上げる。
【００５７】
これらの条件が同じである場合、優先度は同じとなる。たとえば、基本的スケジューリング方式にはラウンドロビン(RR：ユーザ番号順に公平に割り当てる方式)等を用いることができる。
【００５８】
そして、優先度算出部２０２は、コンプレストモードユーザについてノーマルフレームにおける優先度から、コンプレストモードにおけるＣＦ比率（または送信禁止時間比率）rに応じて優先度を上げる。コンプレストモードにおける通常の送信フレームであるノーマルフレームでの優先度をＰNF （ｉ）、コンプレストフレームでの優先度をＰCF（ｉ）とした場合、式（１）よりノーマルフレームでの優先度ＰNF（ｉ）が得られる。
ＰNF（ｉ）＝Ｐ（ｉ）×（１＋ｒ）    …  式（１）
また、優先度算出部２０２は、ＰCF（ｉ）に通常の優先度Ｐ（ｉ）より低い値を設定する。例えば、ＰCF（ｉ）に「０」を設定する。そして、優先度算出部２０２は、得られた通常モードユーザの優先度とコンプレストモードユーザの優先度をそれぞれ選択部２０３に出力する。
【００５９】
選択部２０３は、優先度算出部２０２において算出された優先度に基づき、優先度の高いユーザに優先的にパケット送信を割り当てるスケジュールを作成する。
【００６０】
次に、本実施の形態に係る基地局装置のスケジューリングの動作について説明する。図３は、本実施の形態に係る基地局装置におけるassited  ＤＰＣＨの送信信号電力の時間変化の一例を示す図である。図３において、横軸は、パケットデータを送信する時刻を示す。図３では、ＵＥ１が、個別チャネルにおいてコンプレストモードで基地局装置と通信を行い、ＵＥ２が、個別チャネルにおいて基地局装置と通常モードで通信を行う。
【００６１】
ＵＥ１は、スロット（以下「ＳＬ」という）１からＳＬ４までとＳＬ９からＳＬ１２までがコンプレストモードで通信を行うコンプレストフレームであり、ＳＬ５からＳＬ８までとＳＬ１３からＳＬ１６までが通常モードで通信を行うノーマルフレームである。
【００６２】
図３の例では、４つのスロットで１つのフレームを構成している。ここで、ＵＥ１は、４つのフレームのうち、２つのフレームがコンプレストフレームであり、ＣＦ比率は０．５となる。優先度算出部２０２は、ＵＥ１のノーマルフレームでの優先度ＰNF（１）を優先度Ｐ（１）に、ＣＦ比率に１を加えた値を乗算した値から求める。例えば、Ｐ（１）が「１」である場合、ＰNF（１）は「１．５」となる。そして、優先度算出部２０２は、コンプレストフレームであるＳＬ１〜ＳＬ４とＳＬ９〜ＳＬ１２についてＰCF（ｉ）に「０」を設定する。
【００６３】
ＵＥ２は、個別チャネルにおいて通常モードで通信を行っているので、フレーム単位でコンプレストフレームとノーマルフレームの区別がなく、Ｐ（２）は一定となる。例えばＰ（２）を「１」とする。
【００６４】
そして、選択部２０３は、パケットデータ量（伝送速度）、サービス種別（許容誤り率または遅延時間）、通信中の伝搬環境（下り回線のＣＩＲ等）から通常モードでの各ＵＥに送信するパケットの優先度Ｐ（ｉ）に、ＰNF（ｉ）またはＰCF（ｉ）を反映させる。例えば、コンプレストモードで通信を行うＵＥ１についてスロット毎にＰ（ｉ）に（１＋ｒ）を乗算した結果をＵＥ１の優先度とする。そして、選択部２０３は、上記計算により得られた優先度に基づいて各ユーザ宛にパケットを送信するスケジュールを作成する。なお、ここでは、ＵＥ１とＵＥ２に送信するパケットの優先度Ｐ（ｉ）が同等であると仮定する例について説明する。
【００６５】
図４は、本実施の形態で用いられる優先度情報の一例を示す図である。図４は、基地局装置１００からＵＥ１とＵＥ２に送信するパケットのスケジュール作成に用いる優先度情報を示す。図４では、各スロット間にＵＥ１とＵＥ２のパケットを送信する優先度が設定されている。
【００６６】
図４において、ＳＬ１からＳＬ４では、ＵＥ１の優先度が「０」であり、ＵＥ２の優先度が「１．０」であるので、選択部２０３は、ＳＬ５からＳＬ８にＵＥ２宛のパケットを送信するスケジュールを決定する。そして、ＳＬ１からＳＬ４では、ＵＥ１の優先度が「１．５」であり、ＵＥ２の優先度が「１．０」であるので、選択部２０３は、ＳＬ５からＳＬ８にＵＥ１宛のパケットを送信するスケジュールを決定する。
【００６７】
同様に、選択部２０３は、ＳＬ９からＳＬ１２にＵＥ１宛のパケットを送信するスケジュールを決定する。そして、選択部２０３は、ＳＬ１３からＳＬ１６にＵＥ２宛のパケットを送信するスケジュールを決定する。
【００６８】
このように、本実施の形態の基地局装置によれば、個別チャネルにおいて通常モードで通信するユーザ宛よりコンプレストモードで通信するユーザ宛に、コンプレストフレーム以外の時刻に共有チャネルでパケットを優先的に送信することにより、コンプレストモードにおける平均スループットの低下を防止することができ、通常モード時とほぼ同一の平均スループットを確保することができる。
【００６９】
なお、スケジュール作成により各ユーザ宛にパケットの送信を割り当てる単位は、特に限定されず、フレーム単位、スロット単位等、所定の送信時間単位であればよい。
【００７０】
（実施の形態２）
図５は、本発明の実施の形態２に係る基地局装置が備えるスケジュール作成部の構成を示すブロック図である。但し、図２と同一の構成となるものについては、図２と同一番号を付し、詳しい説明を省略する。
【００７１】
図５のスケジュール作成部１０２は、優先度算出部５０１と、選択部５０２と、選択断念率算出部５０３とを具備し、コンプレストモードであることによって選択されるはずの機会を実際にどの程度失ったかを把握し、ノーマルフレームであれば選択されるはずであったにも関わらず、コンプレストフレームのため選択されなかった選択断念率を測定し、ＣＦ比率ｒと選択断念率ｄの値に応じて個別チャネルにおいてコンプレストモードで通信を行うユーザ宛のパケットを送信する優先度を上げるスケジュールを作成して個別チャネルをコンプレストモードで通信するユーザと、個別チャネルを通常モードで通信するユーザとにそれぞれ共有チャネルを用いて送信するパケットの伝送量を均一化する点が図２のスケジュール作成部１０２と異なる。
【００７２】
優先度算出部５０１は、まず、パケットデータ量（伝送速度）、サービス種別（許容誤り率または遅延時間）、通信中の伝搬環境（下り回線のＣＩＲ等）から通常モードでの各ユーザに送信するパケットの優先度Ｐ（ｉ）を決定する。ここで、ｉはユーザを識別する数である。例えばＰ（１）は、ユーザ１の通常モードでの優先度である。
【００７３】
選択部５０２は、優先度算出部５０１において得られた優先度に基づいて各ユーザ宛にパケットを送信するスケジュールを作成する。
【００７４】
選択断念率算出部５０３は、選択部５０２において作成されたスケジュールからコンプレストモードであることによって選択されるはずの機会を実際にどの程度ロスしたかを把握し、ノーマルフレームであれば選択されるはずであったにも関わらず、コンプレストフレームのため選択されなかった選択断念率ｄを測定し、ＣＦ比率ｒと選択断念率ｄの両者の値に応じて優先度を上げる指示を優先度算出部５０１に出力する。
【００７５】
優先度算出部５０１は、優先度に選択断念率算出部５０３からの優先度変更の指示を反映させる。例えば、ＣＦ比率ｒ×選択断念率ｄだけ優先度を上げ、Ｐ（１）×（１＋（ｒ×ｄ））とする制御を行う。そして、優先度算出部５０１は、得られた優先度を選択部５０２に出力する。そして、選択部５０２は、上記計算により得られた優先度に基づいて各ユーザ宛にパケットを送信するスケジュールを作成する。以降は上記選択断念率算出部５０３からの動作を繰り返す。
【００７６】
次に、本実施の形態のスケジュール作成部のスケジュール作成の動作について説明する。図６は、個別チャネル（assited  ＤＰＣＨ）の送信電力の時間変化と共有チャネルのスケジュール作成の一例を示す図である。図６では、基地局装置が個別チャネルにおいてコンプレストモードと通常モードで通信を行う２つのＵＥに対して、パケットを送信するスケジュールを作成する場合の例について説明する。
【００７７】
ここでは、パケットデータ量（伝送速度）、サービス種別（許容誤り率または遅延時間）、通信中の伝搬環境（下り回線のＣＩＲ等）から決定される優先度がＵＥ１とＵＥ２について同条件であると仮定する。
【００７８】
図６において、ＵＥ１は、個別チャネルをコンプレスドモードで通信し、ＵＥ２は、個別チャネルを通常モードで通信する。フレーム＃１から＃１０のうち、＃２、＃５、及び＃８において、基地局装置は、ＵＥ１にコンプレストフレームで通信する。
【００７９】
スケジュール作成部１０２は、ＵＥ１とＵＥ２に対して、同程度のスループットとなるように、例えば、ラウンドロビン方式のように、順番にユーザにパケットを送信するスケジュールを割り当てていく。図６の選択結果Ａに示すように、スケジュール作成部１０２は、フレーム＃１にＵＥ１宛にパケットを送信するスケジュールを作成し、フレーム＃２にＵＥ２宛にパケットを送信するスケジュールを作成する。同様に、スケジュール作成部１０２は、ＵＥ１とＵＥ２に交互にパケット送信のスケジュールを割り当て、フレーム＃３にＵＥ１宛にパケットを送信するスケジュールを作成し、フレーム＃４にＵＥ２宛にパケットを送信するスケジュールを作成する。
【００８０】
フレーム＃５では、基地局装置は、ＵＥ１にコンプレストフレームで通信するので、ＵＥ１宛にパケットを送信することができず、パケット送信のスケジュールが割り当てられない。
【００８１】
以降＃６、＃８、＃１０では、ＵＥ２宛にパケットを送信するスケジュールを作成し、＃７、＃９、では、ＵＥ１宛にパケットを送信するスケジュールを作成する。そして、フレーム＃１１では、基地局装置は、ＵＥ１にコンプレストフレームで通信するので、ＵＥ１宛にパケットを送信することができず、パケット送信のスケジュールが割り当てられない。＃１２では、ＵＥ２宛にパケットを送信するスケジュールを作成する。
【００８２】
この結果、ＵＥ１宛に割り当てられるフレームが「４」、ＵＥ２宛に割り当てられるフレームが「６」となりコンプレストモードで通信を行うＵＥ１のスループットは、通常モードで通信を行うＵＥ２より低くなる。
【００８３】
このように、基地局と通信を行うＵＥが個別チャネルにおいてコンプレストモードで通信を行う場合、基地局がコンプレストフレームで信号を送信している時、ＵＥは、異なる周波数のキャリアセンスを行い、共有チャネルでパケットデータを受信することができない。この結果、個別チャネルにおいてコンプレストモードで通信を行うＵＥと個別チャネルにおいて通常モードで通信を行うＵＥとに共有チャネルを用いたパケット伝送のスループットに差ができる。
【００８４】
そこで、本実施の形態のスケジュール作成部は、コンプレストモードであることによって選択されるはずの機会を実際にどの程度失ったかを把握し、ノーマルフレームであれば選択されるはずであったにも関わらず、コンプレストフレームのため選択されなかった選択断念率を測定し、両者の値に応じてコンプレストモードで通信を行うユーザ宛のパケットを送信する優先度を上げるスケジュールを作成する。
【００８５】
選択断念率算出部５０３は、各ＵＥにパケットを送信する回数に所定の数以上の差がある場合、パケットを送信される回数が少ないＵＥの優先度を上げる、またはパケットを送信される回数が多いＵＥの優先度を下げる指示を優先度算出部５０１に出力する。例えば、ＣＦ比率ｒ×選択断念率ｄだけ優先度を上げ、Ｐ（１）×（１＋（ｒ×ｄ））とする制御を行う。
【００８６】
具体的には、選択断念率算出部５０３は、所定のコンプレストフレーム数の中でコンプレストモードで通信を行っているＵＥ１にパケット送信のスケジュールを割り当てることができなかったフレーム数の比率を選択断念率として算出する。例えば、コンプレストフレーム４フレームのうち、２フレームでＵＥ１宛にパケットを送信できなかった場合、選択断念率ｄは、「０．５」となる。ＣＦ比率は、コンプレストフレームの数と通常フレームの数の比「０．５」であり、ＵＥ１の優先度Ｐ（１）は、１．２５倍される。
【００８７】
選択部５０２は、新たに設定された優先度に基づいてパケット送信のスケジュールを作成する。例えば、ＵＥ１の優先度Ｐ（１）を「１」、ＵＥ２の優先度Ｐ（２）を「１」とした場合、ＵＥ１の優先度Ｐ（１）に選択断念率を反映させた新しい優先度は、「１．２５」となる。
【００８８】
選択部５０２は、ＵＥ１とＵＥ２の優先度の比率になるようにパケットを割り当てるスケジュールを作成する。例えば、上記優先度からＵＥ１とＵＥ１のパケット送信比率は１．２５対１、すなわち５対４になる。つまり、９フレーム中５フレームをＵＥ１に割り当て、４フレームをＵＥ２に割り当てる。
【００８９】
一例として、９フレームに「ＵＥ１、ＵＥ２、ＵＥ１、ＵＥ２、ＵＥ１、ＵＥ１、ＵＥ２、ＵＥ１、ＵＥ２」の順番で割り当てる。
【００９０】
選択結果Ｂは、選択断念率を反映させた新しい優先度で割り当てた結果である。上記割り当ての結果、フレーム＃５は、ＵＥ１がコンプレストフレームで通信を行い、未送信となるが、９フレーム中＃１、＃３、＃６、＃８でＵＥ１にパケット送信スケジュールが割り当てられ、＃２、＃４、＃７、＃９にＵＥ２にパケット送信スケジュールが割り当てられる。＃１０以降も同じ割り当てパターンを繰り返す。この結果、ＵＥ１宛に割り当てられるフレームが「６」、ＵＥ２宛に割り当てられるフレームが「５」となり、コンプレストモードで通信を行うＵＥ１のスループットが低下することを防ぐことができる。
【００９１】
このように、選択断念率を反映させた新しい優先度でＵＥ２よりＵＥ１にパケット送信する機会を多くしているので、コンプレストモードで通信を行うユーザのスループットが低下することを防ぐことができる。
【００９２】
また、コンプレストフレームに通常モードのユーザ宛のパケット送信のスケジュールを割り当てる場合でもコンプレストモードで通信を行うユーザのスループットが低下することを防ぐことができる。
【００９３】
選択結果Ｃは、コンプレストフレームに通常モードのユーザ宛のパケット送信のスケジュールを割り当てた結果である。選択結果Ａにおいて未送信であったフレーム＃５とフレーム＃１１に通常モードのユーザであるＵＥ２宛のパケット送信のスケジュールを割り当ている。
【００９４】
この結果、ＵＥ１宛に割り当てられるフレームが「４」、ＵＥ２宛に割り当てられるフレームが「８」となりコンプレストモードで通信を行うＵＥ１のスループットは、通常モードで通信を行うＵＥ２より低くなる。
【００９５】
この場合、フレーム＃５とフレーム＃１１にはＵＥ１宛のパケット送信が割り当てられるはずであるが、ＵＥ２宛のパケット送信が割り当てられることになる。選択断念率算出部５０３は、コンプレストフレーム４フレームのうち、２フレームでＵＥ１宛にパケットを送信できなかったとし、選択断念率ｄを「０．５」とする。
【００９６】
以下、選択結果Ａから選択結果Ｂのスケジュール作成と同様に、選択断念率を反映させた新しい優先度でＵＥ２よりＵＥ１にパケット送信する機会を多くする。
【００９７】
選択結果Ｄは、選択断念率を反映させた新しい優先度で割り当てた結果である。上記割り当ての結果、フレーム＃５、フレーム＃１１は、ＵＥ１がコンプレストフレームで通信を行い、ＵＥ２による送信となるが、１２フレーム中＃１、＃３、＃６、＃１０、＃１１でＵＥ１にパケット送信スケジュールが割り当てられ、＃２、＃４、＃５、＃７、＃８、＃９、＃１１にＵＥ２にパケット送信スケジュールが割り当てられる。この結果、ＵＥ１宛に割り当てられるフレームが「５」、ＵＥ２宛に割り当てられるフレームが「７」となり、コンプレストモードで通信を行うＵＥ１のスループットを改善することができる。
【００９８】
このように、本実施の形態の基地局装置によれば、個別チャネルにおいてコンプレストモードで通信するユーザにコンプレストフレームで通信を行っている時刻に共有チャネルでパケットを送信する機会が減少することを補償するパケット送信のスケジュールを作成することにより、コンプレストモードにおける平均スループットの低下を防止することができ、通常モード時とほぼ同一の平均スループットを確保することができる。
【００９９】
また、本実施の形態の基地局装置によれば、コンプレストモードであることによって選択されるはずの機会を実際にどの程度ロスしたかを把握して補償することにより、コンプレストフレームとノーマルフレームの比率からスケジュールを作成する方法に比べて優先度を過剰に上げず、通常モード時とほぼ同一の平均スループットを確保することができる。
【０１００】
なお、本実施の形態では、パケットの割り当てにユーザ番号順に公平に割り当てるラウンドロビン方式を用いて説明しているがこれに限らず、伝搬路状態（例：CIR測定結果などで判定）が最良であるユーザを選択して送出するMax  CIR方式等の他のパケット割り当て方式を用いることもできる。この場合、伝搬路状態から得られる各ユーザの優先度に選択断念率から得られる優先度の情報を反映させ、得られた優先度から各ユーザにパケット送信のスケジュールを決定する。
【０１０１】
（実施の形態３）
実施の形態２に示すように、コンプレストモードユーザにパケットを送信できないコンプレストフレームタイミングで送信可能な他ユーザにパケットを送信する制御を行う場合、コンプレストモードにおける平均スループットの低下を防止することができ、通常モード時とほぼ同一の平均スループットを確保することができる。ただし、この制御では、コンプレストモードユーザに対してのスループットの低下を防止することはできるが、通常モードユーザと同等のスループットにならない場合がある。
【０１０２】
理由としては、コンプレストモードユーザを選択できないコンプレストフレームタイミングにおいて、送信可能な他ユーザである通常モードユーザを選択してパケットを送信する制御を行う場合、通常モードユーザの平均スループットはコンプレストモードユーザが通常モードであるときに比べて高くなるからである。
【０１０３】
コンプレストモードであるユーザと通常モードであるユーザで同等な平均スループットを達成するためには、コンプレストモードユーザだけでなく通常モードユーザに対しても、個別チャネルの通信モードの違いに基づいて優先度を制御する必要がある。
【０１０４】
そこで、本実施の形態の基地局装置は、パケット送信のスケジュールの作成結果からコンプレストモードユーザの送信禁止時間における通常モードユーザの優先選択率（状況）を測定し、その結果に応じて通常モードユーザの優先度を変更する制御を行い、共有チャネルにおけるパケットデータ送信のスケジュールを作成する。これは、ユーザ数が３以上である場合には、ある特定のコンプレストモードユーザの送信禁止時間における他ユーザ（通常モードユーザおよび他のコンプレストモードユーザ）の優先度状況を測定し、その結果に応じた優先度の制御を行う。
【０１０５】
図７は、本発明の実施の形態３に係る基地局装置が備えるスケジュール作成部の構成を示すブロック図である。但し、図５と同一の構成となるものについては、図５と同一番号を付し、詳しい説明を省略する。
【０１０６】
図７のスケジュール作成部１０２は、優先度算出部７０１と、選択部７０２と、優先選択率算出部７０３とを具備し、コンプレストフレームにおいて通常モードのユーザ宛にパケット送信が割り当てられる優先選択率を測定し、ＣＦ比率ｒと優先選択率ｅの両者の値に応じて個別チャネルにおいて通常モードで通信を行うユーザ宛のパケットを送信する優先度を下げるスケジュールを作成して個別チャネルをコンプレストモードで通信するユーザと、個別チャネルを通常モードで通信するユーザとにそれぞれ共有チャネルを用いて送信するパケットの伝送量を均一化する点が図５のスケジュール作成部と異なる。
【０１０７】
優先度算出部７０１は、まず、パケットデータ量（伝送速度）、サービス種別（許容誤り率または遅延時間）、通信中の伝搬環境（下り回線のＣＩＲ等）から通常モードでの各ユーザに送信するパケットの優先度Ｐ（ｉ）を決定する。ここで、ｉはユーザを識別する数である。例えばＰ（１）は、ユーザ１の通常モードでの優先度である。
【０１０８】
そして、優先度算出部７０１は、ＣＦ比率（または送信禁止時間比率）ｒに応じて通常モードユーザの優先度を下げる。例えば、上記制御を行う区間をユーザ１の送信禁止時間以外のみとし、Ｐ（２）×（１−ｒ）と制御を行う。なお、ＣＦ比率に応じて通常モードユーザの優先度を変更する適用区間に関しては、全区間とすることも考えられる。
【０１０９】
また、優先度算出部７０１は、優先選択率算出部７０３からの優先度変更の指示を優先度に反映させる。そして、優先度算出部７０１は、得られた優先度を選択部７０２に出力する。
【０１１０】
選択部７０２は、優先度算出部７０１において得られた優先度に基づいて各ユーザ宛にパケットを送信するスケジュールを作成する。
【０１１１】
優先選択率算出部７０３は、選択部７０２において作成されたスケジュールからコンプレストモードユーザがコンプレストフレームで通信を行うフレームにおいて通常モードユーザ宛にパケット送信のスケジュールが割り当てられた優先選択率ｅを算出し、ＣＦ比率ｒと優先選択率ｅの両者の値に応じて優先度を下げる指示を優先度算出部７０１に出力する。例えば、優先選択率算出部７０３は、各ユーザにパケットを送信する回数に所定の数以上の差がある場合、パケットを送信される回数が少ないユーザの優先度を上げる。
【０１１２】
優先度算出部７０１は、優先度に優先選択率算出部７０３からの優先度変更の指示を反映させる。例えば、ＣＦ比率ｒ×優先選択率ｅだけ優先度を下げ、Ｐ（１）×（１−（ｒ×ｅ））とする制御を行う。そして、優先度算出部７０１は、得られた優先度を選択部７０２に出力する。
【０１１３】
そして、選択部７０２は、上記計算により得られた優先度に基づいて各ユーザ宛にパケットを送信するスケジュールを作成する。以降は上記優先選択率算出部７０３からの動作を繰り返す。
【０１１４】
次に、本実施の形態のスケジュール作成部のスケジュール作成の動作について説明する。図８は、スケジュール作成の一例を示す図である。図８では、基地局装置がそれぞれ個別チャネルにおいてコンプレストモードと通常モードで通信を行う２つのＵＥに対して、パケットを送信するスケジュールを作成する場合の例について説明する。
【０１１５】
ここでは、パケットデータ量（伝送速度）、サービス種別（許容誤り率または遅延時間）、通信中の伝搬環境（下り回線のＣＩＲ等）からＵＥ１とＵＥ２について優先度が示される。
【０１１６】
Ｐ（１）は、ＵＥ１の優先度である。ＵＥ１は、個別チャネルをコンプレストモードで通信しており、コンプレストフレームでの優先度は「０」になる。Ｐ（２）は、ＵＥ２が通常モードで通信を行う場合の優先度である。
【０１１７】
これらの優先度をフレーム単位で比較し、優先度の高いユーザにパケット送信のスケジュールを割り当てた結果が、選択結果Ｅである。コンプレストフレームにおけるＵＥ１の優先度が「０」となる分、ＵＥ１にパケットを送信する機会が減少する。この結果、ＵＥ１宛に割り当てられるフレームが「２」、ＵＥ２宛に割り当てられるフレームが「４」となりコンプレストモードで通信を行うＵＥ１のスループットは、通常モードで通信を行うＵＥ２より低くなる。
【０１１８】
ＣＦ比率ｒは、コンプレストフレームの数と通常フレームの数の比、または全体のフレーム数におけるコンプレストフレームの割合で表され、通常フレームが４フレーム、コンプレストフレームが２フレームとなっているのでＣＦ比率ｒは「０．５」となる。
【０１１９】
優先度算出部７０１は、優先度にＣＦ比率ｒを反映させる。例えば、優先度算出部７０１は、通常モードで通信するＵＥ２の優先度にＣＦ比率ｒを反映させて、Ｐ（２）×（１−ｒ）とする。そして、選択部７０２は、ＣＦ比率ｒを反映させた優先度からＵＥ１とＵＥ２にパケットを送信するスケジュールを作成する。選択結果Ｆは、ＣＦ比率ｒを反映させた優先度から得られたパケット送信スケジュールの割り当て結果である。
【０１２０】
この結果、ＵＥ１宛に割り当てられるフレームが「３」、ＵＥ２宛に割り当てられるフレームが「３」となり、コンプレストモードで通信を行うＵＥ１のスループットが低下することを防ぐことができる。
【０１２１】
図８の例では、通常モードで通信を行うＵＥ２の優先度にＣＦ比率ｒを反映させてコンプレストモードと通常モードのユーザのスループットが同じとしたが、通常モードで通信を行うＵＥ２の優先度にＣＦ比率ｒを反映させた結果、通常モードで通信するＵＥ２の優先度をかえって過度に下げすぎてしまうことがある。
【０１２２】
優先選択率算出部７０３は、選択部７０２において作成されたスケジュールからコンプレストモードユーザと通常モードユーザとにパケットを送信する回数に所定の数以上の差がある場合、パケットを送信される回数が少ないユーザの優先度を上げる。
【０１２３】
具体的には、ＵＥ１がコンプレストフレームであるため選択されなかった選択断念によって、他ユーザであるＵＥ２が優先的に選択された優先選択率ｅを測定し、その値に応じて優先度を上げる。例えば、ユーザ１の送信禁止時間以外のみにおいて、ＣＦ比率ｒ×優先選択率ｅだけ優先度を下げ、Ｐ（２）×（１−（ｒ×e））とする制御を行う。
【０１２４】
なお、２ユーザの場合には、ＵＥ１が断念したときは全てＵＥ２が優先選択されるためｄ＝ｅとなる。例えば、コンプレストフレーム２フレームのうち、２つともコンプレストモードであるためＵＥ１に割り当てできなかったフレームであり、その結果通常モードで通信するＵＥ２に割り当てられたフレームである。この結果、優先選択率ｅは、「１．０」となる。
【０１２５】
そして、選択部７０２は、上記計算により得られた優先度に基づいて各ユーザ宛にパケットを送信するスケジュールを作成する。
【０１２６】
このように、優先選択率ｅを優先度に反映させパケット送信のスケジュールを作成することにより、通常モードで通信するＵＥ２の優先度をかえって過度に下げすぎることを防止でき、通常モードで通信するユーザとコンプレストモードで通信するユーザとで、ほぼ同一の平均スループットを得ることができる。
【０１２７】
次に、コンプレストモードで通信を行うユーザがコンプレストフレームであるため選択されなかった選択断念によって、他ユーザであるが優先的に選択された優先選択率ｅを測定し、その値に応じて優先度を上げる例について、３以上のユーザの場合の優先度計算の例を説明する。
【０１２８】
図９は、スケジュール作成の一例を示す図である。図９では、基地局装置がそれぞれ個別チャネルにおいてコンプレストモードで通信を行うＵＥ１と通常モードで通信を行うＵＥ２及びＵＥ３に対して、パケットを送信するスケジュールを作成する場合の例について説明する。
【０１２９】
選択結果Ｇは、優先度算出部７０１から出力された優先度に基づいて、選択部７０２において作成されたスケジュールの一例である。選択結果Ｇのスケジュールでは、フレーム＃１、＃３、＃４、＃６においてＵＥ１宛にパケットを送信し、フレーム＃２においてＵＥ３宛にパケットを送信し、フレーム＃５においてＵＥ２宛にパケットを送信する。また、フレーム＃２及び＃５においてＵＥ１は、コンプレストモードで通信を行うタイミングとする。
【０１３０】
優先選択率算出部７０３は、通常モードで通信を行うユーザ毎に選択結果Ｇから優先選択率ｅを算出する。ここでは、ＵＥ１がコンプレストモードで通信を行う２フレームのうち、＃２はＵＥ３宛、＃５はＵＥ２宛のパケット送信スケジュールである。ＵＥ２の優先選択率ｅは「０．５」となり、ＵＥ３の優先選択率ｅは「０．５」となる。またＣＦ比率ｒは「０．５」である。
【０１３１】
従って、ＵＥ２及びＵＥ３の優先度に乗算する値（１−（ｒ×ｅ））は、それぞれ「０．７５」となる。
【０１３２】
優先度算出部７０１は、次に作成するスケジュールにおいて優先度に先に求めた優先選択率を反映する。例えば、ＵＥ１、ＵＥ２、及びＵＥ３宛の優先度が図９のＰ（１）、Ｐ（２）、及びＰ（３）である場合、通常モードで通信を行うＵＥ２及びＵＥ３の優先度Ｐ（２）及びＰ（３）に「０．７５」を乗算して、優先選択率ｅとＣＦ比率ｒを反映させる。ここでは、ＵＥ１がコンプレストモードではないフレームに対して優先度Ｐ（２）及びＰ（３）に優先選択率ｅとＣＦ比率ｒを反映させる。
【０１３３】
優先度Ｐ’（２）及びＰ’（３）は優先度Ｐ（２）及びＰ（３）に優先選択率ｅとＣＦ比率ｒを反映させた優先度である。選択部７０２は、この優先度Ｐ（１）、Ｐ’（２）、及びＰ’（３）を比較し、優先度の高いユーザにパケット送信のスケジュールを割り当てる。
【０１３４】
選択結果Ｈは、優先選択率ｅとＣＦ比率ｒを反映させた優先度から作成されたスケジュールの一例である。選択結果Ｈでは、ＵＥ１宛に割り当てられるフレームが「２」、ＵＥ２宛に割り当てられるフレームが「２」、ＵＥ３宛に割り当てられるフレームが「２」となる。
【０１３５】
このように、本実施の形態の基地局装置によれば、個別チャネルをコンプレストフレームで通信するタイミングにおける通常モードユーザ宛のパケット送信の優先度を下げることにより、コンプレストモードにおける平均スループットの低下を防止することができ、通常モード時とほぼ同一の平均スループットを確保することができる。
【０１３６】
また、本実施の形態の基地局装置によれば、コンプレストフレームにおいて通常モードで通信するユーザが優先的に選択されたかを把握して補償することにより、コンプレストフレームとノーマルフレームの比率からスケジュールを作成する方法に比べて優先度を過剰に下げすぎず、コンプレストモードのユーザと通常モードのユーザに同一の平均スループットを確保することができる。
【０１３７】
なお、本実施の形態では、伝搬路状態（例：CIR測定結果などで判定）が最良であるユーザを選択して送出するMax  CIR方式等の他のパケット割り当て方式を用いて説明しているがこれに限らず、パケットの割り当てにユーザ番号順に公平に割り当てるラウンドロビン方式を用いることもできる。
【０１３８】
（実施の形態４）
本実施の形態では、実施の形態１から３のいずれかの基地局装置から送信された無線信号を受信する通信端末装置について説明する。図１０は、本発明の実施の形態４に係る通信端末装置の構成を示すブロック図である。図１０において、通信端末装置１０００は、無線受信部１００１と、ＨＳ−ＤＳＣＨ復調部１００２と、復号部１００３と、個別ＣＨ復調部１００４と、復号部１００５と、ＣＭＴ抽出部１００６とから主に構成される。
【０１３９】
無線受信部１００１は、無線信号を受信してベースバンド周波数に変換し、得られた受信信号をＨＳ−ＤＳＣＨ復調部１００２及び個別ＣＨ復調部１００４に出力する。
【０１４０】
ＣＭＴ抽出部１００６から受信する信号が自局宛に信号を送信しないギャップである指示を受けた場合、無線受信部１００１は、自局が属さない基地局装置が使用する周波数の無線信号を受信する。また、ＣＭＴ抽出部１００６から受信する信号が自局宛に信号を送信しないギャップではない指示を受けた場合、無線受信部１００１は、自局が属する基地局装置が使用する周波数の無線信号を受信する。
【０１４１】
ここで、自局が属する基地局装置と自局が属さない基地局装置とが送信する信号の周波数が異なることがあるので、無線受信部１００１は、ＣＭＴ抽出部１００６の指示に従い、所望する信号の周波数の無線信号を受信する。
【０１４２】
ＨＳ−ＤＳＣＨ復調部１００２は、受信信号を復調して復号部１００３に出力する。復号部１００３は、ＨＳ−ＤＳＣＨ復調部１００２において復調された受信信号を復号して共有チャネルで送信されたパケットデータを得る。
【０１４３】
個別ＣＨ復調部１００４は、受信信号を復調して復号部１００５に出力する。復号部１００５は、個別ＣＨ復調部１００４において復調された受信信号を復号して個別チャネルで送信されたデータを得る。そして、個別ＣＨ復調部１００４は、このデータをＣＭＴ抽出部１００６に出力する。
【０１４４】
ＣＭＴ抽出部１００６は、受信したデータからコンプレスドモードの制御に関する情報を抽出し、この情報から基地局装置から自局宛に信号を送信しないギャップのタイミングを得て、時刻毎に受信する信号が自局宛に信号を送信しないギャップであるか否かを無線受信部１００１に通知する。
【０１４５】
このように、本実施の形態の通信端末装置によれば、パケットデータの受信と隣接セルの情報取得とを同時に行う必要がなくなり、一つの受信回路でパケットデータの受信と隣接セルの情報取得とを共に実現でき、移動通信における高速下りデータ通信を行うことができる。
【０１４６】
なお、上記説明の共有チャネルは、複数の通信端末装置が共通して使用しパケットデータを受信する場合に使用するチャネルであれば特に限定されない。たとえば、ＤＳＣＨやＨＳＤＰＡに適用することもできる。
【０１４７】
また、上記説明のコンプレスモードの種類に限定されず、パケットデータを送信しないギャップを設定するコンプレスドモードを用いる通信方法であれば適用できる。
【０１４８】
また、上記説明のスケジュールを決定する部分は、基地局装置以外にも搭載することができ、共有チャネルを使ってパケットデータを送信する装置及び送信を制御する装置であれば、いずれにも適用できる。例えば、ＤＳＣＨでパケットデータを送信する場合等では、ＲＮＣを含むＲＡＮ（Radio  Access  Network）等の基地局装置より上位の装置に上記スケジュールを設定する構成を搭載し、パケットデータを送信する基地局装置にスケジュールを通知し、基地局装置においてこのスケジュールに従い各通信端末装置宛にパケットデータを送信することもできる。
【０１４９】
また、実施の形態１から実施の形態３は、組み合わせて適用することもできる。例えば、ＣＦ比率ｒと選択断念率ｄの値に応じて個別チャネルにおいてコンプレストモードで通信を行うユーザ宛のパケットを送信する優先度を上げ、ＣＦ比率ｒと優先選択率ｅの両者の値に応じて個別チャネルにおいて通常モードで通信を行うユーザ宛のパケットを送信する優先度を下げるスケジュールを作成して個別チャネルをコンプレストモードで通信するユーザと、個別チャネルを通常モードで通信するユーザとにそれぞれ共有チャネルを用いて送信するパケットの伝送量を均一化することもできる。
【０１５０】
また、本発明は上記実施の形態に限定されず、種々変更して実施することが可能である。例えば、上記実施の形態では、基地局装置として行う場合について説明しているが、これに限られるものではなく、この通信方法をソフトウェアとして行うことも可能である。
【０１５１】
例えば、上記通信方法を実行するプログラムを予めＲＯＭ（Read  Only  Memory）に格納しておき、そのプログラムをＣＰＵ（Central  Processor  Unit）によって動作させるようにしても良い。
【０１５２】
また、上記通信方法を実行するプログラムをコンピュータで読み取り可能な記憶媒体に格納し、記憶媒体に格納されたプログラムをコンピュータのＲＡＭ（Random  Access  memory）に記録して、コンピュータをそのプログラムにしたがって動作させるようにしても良い。
【０１５３】
【発明の効果】
以上説明したように、本発明のスケジュール作成装置、基地局装置及び通信方法によれば、共有チャネルでパケットを送信し、個別チャネルの通信にコンプレストモードを適用する場合に、コンプレストモードで通信中のユーザは、コンプレストモードでない通常ユーザに比べて、パケットが送信できる時間において優先度的にパケットを送信するスケジュールを作成して、このスケジュールに従ってパケットを送信することにより、コンプレスドモードで通信中のユーザと通常ユーザとの平均スループットの差を解消することができる。
【図面の簡単な説明】
【図１】本発明の実施の形態１に係る基地局装置の構成を示すブロック図
【図２】上記実施の形態のスケジュール作成部の構成の一例を示すブロック図
【図３】上記実施の形態に係る基地局装置における送信信号電力の一例を示す図
【図４】上記実施の形態で用いられる優先度情報の一例を示す図
【図５】本発明の実施の形態２に係る基地局装置が備えるスケジュール作成部の構成を示すブロック図
【図６】スケジュール作成の一例を示す図
【図７】本発明の実施の形態３に係る基地局装置が備えるスケジュール作成部の構成を示すブロック図
【図８】スケジュール作成の一例を示す図
【図９】スケジュール作成の一例を示す図
【図１０】本発明の実施の形態４に係る通信端末装置の構成を示すブロック図
【符号の説明】
１０１  コンプレストモード制御部
１０２  スケジュール作成部
１０３  バッファ
１０４  スイッチ回路
１０５  多重化部
１０６  符号化部
１０７  変調部
２０１  送信禁止比率算出部
２０２、５０１、７０１  優先度算出部
２０３、５０２、７０２  選択部
５０３  選択断念率算出部
７０３  優先選択率算出部
【図１】
0003814200.tif 000002
【図２】
0003814200.tif 000003
【図３】
0003814200.tif 000004
【図４】
0003814200.tif 000005
【図５】
0003814200.tif 000006
【図６】
0003814200.tif 000007
【図７】
0003814200.tif 000008
【図８】
0003814200.tif 000009
【図９】
0003814200.tif 000010
【図１０】
0003814200.tif 000011